(57)【要約】【課題】任意に選択される測定値を、分かり易い状態で出力することが可能な計測管理システムを提供する。【解決手段】測量結果をグラフ化するための計測管理システム１である。  そして、面的に分布する測点における測定値を測定日時とともに入力させる入力操作部２と、入力操作部によって入力されたデータを記憶させる記憶部４と、グラフ表示領域及び一覧表表示領域を有する出力手段となるモニタ５とを備えている。一覧表表示領域には、記憶部に記憶されたデータが表形式に合わせて出力されるとともに、グラフ表示領域には、一覧表表示領域に表示された中から選択されたデータ列のグラフが出力される。【選択図】図１
2018013333.tif 000002
【特許請求の範囲】
【請求項１】
測量結果をグラフ化するための計測管理システムであって、
面的に分布する測点における測定値を測定日時毎に面的に入力させる入力手段と、
前記入力手段によって入力されたデータを記憶させる記憶手段と、
グラフ表示領域及び一覧表表示領域を有する出力手段とを備え、
前記一覧表表示領域には、前記記憶手段に記憶されたデータが表形式に合わせて出力されるとともに、前記グラフ表示領域には、前記一覧表表示領域に表示された中から選択されたデータ列のグラフが出力されることを特徴とする計測管理システム。
【請求項２】
前記入力手段には、縦断方向の測点特定項目と横断方向の測点特定項目とによるマトリックスの入力画面が表示されることを特徴とする請求項１に記載の計測管理システム。
【請求項３】
前記マトリックスの入力画面の各欄に測定値を入力すると、前回入力値との差が隣接して表示されることを特徴とする請求項２に記載の計測管理システム。
【請求項４】
前記一覧表表示領域には、測定日時と測点とを縦横の項目とする前記測定値に基づく出力値が出力されるとともに、複数の測点が選択可能となっており、前記グラフ表示領域には、測定日時を一軸として選択された測点の前記出力値に基づくグラフが出力されることを特徴とする請求項１乃至３のいずれか一項に記載の計測管理システム。
【請求項５】
前記一覧表表示領域には、測定日時と測点とを縦横の項目とする前記測定値に基づく出力値が出力されるとともに、複数の測定日時が選択可能となっており、前記グラフ表示領域には、測定点を一軸として選択された測定日時の前記出力値に基づくグラフが出力されることを特徴とする請求項１乃至３のいずれか一項に記載の計測管理システム。
【請求項６】
前記一覧表表示領域には、縦断方向の測点特定項目と横断方向の測点特定項目とを縦横の項目とする前記測定値に基づく出力値が出力されるとともに、複数の測点特定項目が選択可能となっており、前記グラフ表示領域には、縦断方向と横断方向を直交する二軸として選択された測点特定項目の前記出力値に基づく面状分布図が出力されることを特徴とする請求項１乃至３のいずれか一項に記載の計測管理システム。
【発明の詳細な説明】
【技術分野】
【０００１】
本発明は、測量結果をグラフ化するための計測管理システムに関するものである。
【背景技術】
【０００２】
都市部の地下にシールドトンネルを構築する際には、地表面に変状が現れないかを監視するために、トンネル工事区間周辺の地表において頻繁に沈下量が測量される（特許文献１，２など参照）。
【０００３】
このような測量によって得られた測定値は、日々蓄積されて膨大な量になるうえに、変状が起きているか否かを判断するために、見やすいグラフなどが簡単に出力できる計測管理システムが求められている。
【０００４】
特許文献１には、入力された計測データを、平面的な地表変位結果図に示したり、沈下量の経時変化グラフを示したりすることが記載されている。また、特許文献２には、シールド機の掘進位置に応じて、測量すべき測点のリストを計測者の携帯電話に送り、その携帯電話が測定値の入力端末となる路面変状管理システムが開示されている。
【０００５】
さらに、特許文献３には、道路の周辺形状や路面変状などを、ＧＰＳ受信機とカメラ及びレーザースキャナ等を搭載した車両を走行させながら広範囲に計測し、その計測結果を３次元データ化する３次元路面下診断システムが開示されている。
【先行技術文献】
【特許文献】
【０００６】
【特許文献１】特開２００７−４０７７３号公報
【特許文献２】特開２０１２−３６５７１号公報
【特許文献３】特開２０１５−９０３４５号公報
【発明の概要】
【発明が解決しようとする課題】
【０００７】
しかしながら多数のデータが蓄積されるほど、着目したいデータのみを見ることが難しくなる。また、着目したデータをグラフ化した場合も、どのデータがグラフ化されているかを凡例だけで理解することは難しい。
【０００８】
そこで、本発明は、任意に選択される測定値を、分かり易い状態で出力することが可能な計測管理システムを提供することを目的としている。
【課題を解決するための手段】
【０００９】
前記目的を達成するために、本発明の計測管理システムは、測量結果をグラフ化するための計測管理システムであって、面的に分布する測点における測定値を測定日時毎に面的に入力させる入力手段と、前記入力手段によって入力されたデータを記憶させる記憶手段と、グラフ表示領域及び一覧表表示領域を有する出力手段とを備え、前記一覧表表示領域には、前記記憶手段に記憶されたデータが表形式に合わせて出力されるとともに、前記グラフ表示領域には、前記一覧表表示領域に表示された中から選択されたデータ列のグラフが出力されることを特徴とする。
【００１０】
ここで、前記入力手段には、縦断方向の測点特定項目と横断方向の測点特定項目とによるマトリックスの入力画面が表示される構成とすることができる。また、前記マトリックスの入力画面の各欄に測定値を入力すると、前回入力値との差が隣接して表示される構成とすることもできる。
【００１１】
さらに、前記一覧表表示領域には、測定日時と測点とを縦横の項目とする前記測定値に基づく出力値が出力されるとともに、複数の測点が選択可能となっており、前記グラフ表示領域には、測定日時を一軸として選択された測点の前記出力値に基づくグラフが出力される構成とすることができる。
【００１２】
また、複数の測定日時が選択可能となっており、前記グラフ表示領域には、測定点を一軸として選択された測定日時の前記出力値に基づくグラフが出力される構成とすることもできる。
【００１３】
さらには、前記一覧表表示領域には、縦断方向の測点特定項目と横断方向の測点特定項目とを縦横の項目とする前記測定値に基づく出力値が出力されるとともに、複数の測点特定項目が選択可能となっており、前記グラフ表示領域には、縦断方向と横断方向を直交する二軸として選択された測点特定項目の前記出力値に基づく面状分布図が出力される構成とすることができる。
【発明の効果】
【００１４】
このように構成された本発明の計測管理システムは、出力手段がグラフ表示領域と一覧表表示領域を有しているとともに、一覧表表示領域に表示された中から選択されたデータ列のグラフがグラフ表示領域に出力される構成となっている。
【００１５】
すなわち、グラフ化させたい測定値を選択することが可能なうえに、選択されたデータ列と共にグラフを見ることができる。このため、変状の有無や変化などを判定する管理者が任意に選択した測定値を、分かり易い状態で出力させることができる。
【００１６】
また、入力手段に縦断方向の測点特定項目と横断方向の測点特定項目とによるマトリックスの面的な入力画面が表示されれば、入力者は平面図と同じイメージで測定値を効率的に入力していくことができる。
【００１７】
さらに、マトリックスの入力画面の各欄に測定値を入力すると、前回入力値との差が隣接して表示される構成とすれば、誤入力に気付きやすくなるうえに、グラフ化する前に変状を把握することが可能になる。
【図面の簡単な説明】
【００１８】
【図１】本実施の形態の計測管理システムの構成を説明するブロック図である。
【図２】面的に分布する測点を例示する平面図である。
【図３】本実施の形態の計測管理システムの処理の流れを説明するフローチャートである。
【図４】面的に分布する測点の測量結果を蓄積させる概念を模式的に示した説明図である。
【図５】計測管理システムの入力画面の例示である。
【図６】計測管理システムの入力画面に測定値などが入力された状態の例示である。
【図７】グラフ表示領域及び一覧表表示領域を有する出力画面の例示である。
【図８】グラフ表示領域及び一覧表表示領域を有する出力画面の別の例示である。
【図９】グラフ表示領域及び一覧表表示領域を有する出力画面の別の例示である。
【図１０】グラフ表示領域及び一覧表表示領域を有する出力画面の別の例示である。
【発明を実施するための形態】
【００１９】
以下、本発明の実施の形態について図面を参照して説明する。図１は、本実施の形態の計測管理システム１の構成を説明するブロック図である。また、図２は、計測管理システム１に蓄積させる測量結果の測点Ｍを例示する平面図である。
【００２０】
本実施の形態の計測管理システム１は、図２に示すような面的に分布する測点Ｍ，・・・の沈下量（鉛直方向変位）の変状を経時的に管理するためのシステムである。
【００２１】
例えば、地下にトンネルＴＮが構築される際に、そのトンネルＴＮの線形上及びその周辺の地表面において、沈下量の観測が行われる。計測管理システム１では、その沈下量を求めるために水準測量によって測定された測定値を測定日時とともに記録する。
【００２２】
計測管理システム１は、図１に示すように、測定値を測定日時毎に面的に入力させる入力手段となる入力操作部２と、入力操作部２によって入力されたデータを記憶させる記憶手段としての記憶部４と、記憶部４に記憶された測定値又はそれに基づいて算出された演算値などのデータを表示する出力手段としてのモニタ５と、入力や演算や出力などの制御を行う演算処理部３とによって、主に構成される。
【００２３】
入力操作部２は、例えば演算処理部３を有するパーソナルコンピュータなどに接続されている場合は、キーボード、マウスなどが該当する。また、モニタ５がタッチパネルの場合は、モニタ５の表層が入力操作部２になることもある。
【００２４】
さらには、タブレット端末や携帯電話などの携帯端末によって、入力及び一時的なデータの記憶が行われる場合は、携帯端末が入力操作部２になることもある。なお、計測管理システム１全体を携帯端末に組み込むことも可能である。
【００２５】
一方、記憶部４には、ハードディスクなどの磁気記憶媒体、ＵＳＢメモリやＳＤカードなどのフラッシュメモリ、ＣＤ−ＲＯＭなどの光学記憶媒体などの公知の記憶媒体が使用できる。
【００２６】
さらに、モニタ５には、液晶ディスプレイ、有機ＥＬディスプレイ、ブラウン管ディスプレイなどの公知の表示装置が使用できる。また、プリンタを出力手段とすることもできる。
【００２７】
演算処理部３では、データの入力、加減乗除などの演算、表やグラフの表示などの様々な制御が行われる。その中で、本実施の形態の計測管理システム１において特徴的な構成について説明を行う。
【００２８】
演算処理部３は、測定値や測定日時の入力を促す入力画面をモニタ５に生成させるための入力画面表示処理部３１と、測定値などのデータの演算処理を行わせる入力値演算部３２と、表示画面の表示内容の選択などを行わせる表示選択処理部３３と、出力内容などを制御する出力処理部３４とを有している。
【００２９】
入力画面表示処理部３１では、図５に示すような入力手段となる入力画面５１の表示制御や、測定値を蓄積させる測点を設定する測点設定などの入力時に必要とされる画面表示の制御を行う。
【００３０】
また、入力値演算部３２では、図６の演算出力欄５１ｄ，５１ｅに例示した変動量のような、入力された測定値と前回記憶された測定値との差分などの演算を行う。
【００３１】
さらに、表示選択処理部３３では、測点設定用の画面（図示省略）、図５，６に示したような入力画面５１、又は図７−図１０に示したような出力画面５２，５３，５４，５５のいずれをモニタ５に表示させるかの制御が行われる。
【００３２】
そして、出力処理部３４では、出力画面５２，５３，５４，５５の表示内容に関する処理が行われる。また、印刷ボタン５２５，５３５，５４５，５５５が押された際には、プリンタに対する印刷処理も行われる。
【００３３】
次に、本実施の形態の計測管理システム１の処理の流れについて、図３のフローチャートを参照しながら順に説明する。
【００３４】
まず、ステップＳ１では、面的（Ｘ−Ｙ平面）に分布する測点Ｍの沈下量（Ｚ方向変位量）を、例えば測量作業者が水準測量などによって測点Ｍ毎に測量する。ここで、トンネル工事における変状管理では、Ｘが縦断方向となり、Ｙが横断方向となる。
【００３５】
そして、図４に模式的に示すように、Ｘ−Ｙ平面上に測点となり得る交点Ｎ，・・・が分散している場合、すべての交点Ｎの測量を行う必要はない。交点Ｎの中の４箇所の測点Ｍ１−Ｍ４のみで測量を行うなど、任意に設定することができる。
【００３６】
測量は、例えば同じ場所（同じ測点Ｍ１−Ｍ４）において、複数の時刻で行われる。図４は、測定日時Ｔ１−Ｔ４ごとの測定値のデータが蓄積されていくイメージを示している。
【００３７】
そして、図５は、モニタ５に表示される測定日時毎の面的な入力画面５１の一例を示している。入力画面５１の表示処理は、入力画面表示処理部３１によって制御される。この入力画面５１が表示される前に、選択領域５ａの設定ボタン５ｂ「測点設定」を選んで設定画面（図示省略）を表示させ、測定値の入力を行う測点の設定を行っておく。
【００３８】
例えば縦断方向の測点特定項目を測点番号とし、入力画面５１の横方向に順に並べて表示させる（Ｎｏ．１−Ｎｏ．４）。測点番号は、トンネルＴＮの線形に沿った延長距離を示すものでもある。
【００３９】
一方、横断方向の測点特定項目を特徴的な測点名とし、入力画面５１の縦方向に順に並べて表示させる（左２、左１、左官民境界、左縁石など）。トンネルＴＮの横断方向の一定の距離の測量は、地上の敷地や建物の関係で行えない場合もあるため、線形中心からの距離（横断距離）に代えて、測点名という名称で特定した方が分かり易い場合もある。
【００４０】
そして、測点名と測点番号を縦横とする面的なマトリックスのマス目が測定値の入力欄となる。この入力欄は図４の交点Ｎに相当し、測量が行われた測点Ｍ１−Ｍ４の測定値のみを入力していけばよい。
【００４１】
選択領域５ａで「入力」が選択されている際には、入力画面５１では、測定日時となる測定日及び測定時間を入力するための入力欄５１ａと、横断方向の測点名の線形中心からの横断距離（相対距離）の入力欄５１ｂと、測定値の入力欄５１ｃとに、数値などを入力することができる。入力欄５１ａには、例えば入力時の日時がコンピュータから自動的に取り込まれる構成とすることもできる。
【００４２】
図６は、測定日時、横断距離及び測定値が入力された状態の入力画面５１を示している、今回の入力よりも前の測定日時の入力がある場合は、横断距離は入力しなくても前回の値が引き継がれて表示される。
【００４３】
また、変動量を表示する演算出力欄５１ｄには、前回の測定値と今回の測定値との差分が表示される。なお、前回の測定値が無い場合は、演算出力欄５１ｅには「初期値」と表示される。このような演算処理は、入力値演算部３２で行われる。
【００４４】
一方、測定値などの入力後に、入力欄５１ｂ，５１ｃの数値や演算出力欄５１ｄ，５１ｅの出力結果などを変更したい場合は、選択領域５ａの「編集」を選択することで編集が可能な状態になる。
【００４５】
このようにして複数の測定日時の測量結果を、記憶部４に記憶させていく（ステップＳ２、図４参照）。続いて選択領域５ａにおいて、出力画面５２，５３，５４，５５のいずれかを表示させる選択を行う。例えば、「Ｚ−Ｔ」というアイコンが選択されると、表示選択処理部３３の制御により、図７に示すような時間−変位図の出力画面５２がモニタ５に表示される。
【００４６】
出力画面５２には、下段に一覧表表示領域５２１が生成され、上段にグラフ表示領域５２２が生成される（ステップＳ３）。また、最上段の表示設定欄５２４Ａでは、一覧表表示領域５２１に表示させる測定日の期間が選択できるようになっている。また、表示設定欄５２４Ｂでは、一覧表表示領域５２１に表示させる横断測点の測点名（例えば「左官民境界」）が選択できるようになっている。これらの出力画面５２の制御は、出力処理部３４で行われる。
【００４７】
時間−変位図は、横軸を日付（測定日時）とし、縦軸を沈下量とするグラフである。この縦軸の表示レンジは、任意の範囲に設定することができる。一方、一覧表表示領域５２１には、各測定日時を「行」とし、測点番号を「列」とする行列によって、測定値の演算結果である変位（沈下量）が出力値として表示される。
【００４８】
そこで管理者は、測点番号のいくつかのデータ列を、上段のグラフ表示領域５２２にグラフとして表示させるために選択する（ステップＳ４）。詳細には、データ列の先頭にはチェックボックスが表示されており、チェックをするとグラフの色などの凡例が表示される。
【００４９】
このようにしてグラフ化させるために選択されたデータ列を、選択データ列５２３，・・・とする。この選択データ列５２３の縦方向に並ぶ数値が、グラフが延伸するグラフ方向５２１ａとなる。
【００５０】
図７では、一覧表表示領域５２１の４つの選択データ列５２３，・・・の変位が、４本の折れ線となってグラフ表示領域５２２にグラフとして表示される（ステップＳ５）。４本の折れ線の色（凡例）は、対応する選択データ列５２３，・・・の先頭に表示され、容易にグラフと数値を一致させることができる。また、表示結果は、印刷ボタン５２５を押すことで、紙に印刷することができる。
【００５１】
続いて、選択領域５ａの「Ｘ−Ｘ’」というアイコンが選択されると、表示選択処理部３３の制御により、図８に示すような縦断分布図の出力画面５３がモニタ５に表示される。
【００５２】
出力画面５３にも、下段に一覧表表示領域５３１が生成され、上段にグラフ表示領域５３２が生成される。また、最上段の表示設定欄５３４Ａでは、一覧表表示領域５３１に表示させる測点番号の範囲が選択できるようになっている。また、表示設定欄５３４Ｂでは、一覧表表示領域５３１に表示させる横断測点の測点名（例えば「左官民境界」）が選択できるようになっている。これらの出力画面５３の制御も、出力処理部３４で行われる。
【００５３】
縦断分布図は、横軸を表示設定欄５３４Ｂで選択された測点名の測点番号（Ｎｏ．１+0−Ｎｏ．１０+0）とし、縦軸を沈下量とするグラフである。この縦軸の表示レンジは、任意の範囲に設定することができる。
【００５４】
一方、一覧表表示領域５３１には、各測定日時を「行」とし、選択された測点名の測点番号を「列」とする行列によって、測定値の演算結果である変位（沈下量）が出力値として表示される。
【００５５】
そこで管理者は、測点日時のいくつかのデータ列を、上段のグラフ表示領域５３２にグラフとして表示させるために選択する。ここでグラフ化させるために選択されたデータ列を、選択データ列５３３，・・・とする。
【００５６】
選択データ列５３３の横方向に並ぶ数値が、グラフが延伸するグラフ方向５３１ａとなる。図８では、一覧表表示領域５３１の４つの選択データ列５３３，・・・の変位が、４本の折れ線となってグラフ表示領域５３２にグラフとして表示される。
【００５７】
４本の折れ線の色（凡例）は、対応する選択データ列５３３，・・・の先頭に表示され、容易にグラフと数値を一致させることができる。また、表示結果は、印刷ボタン５３５を押すことで、紙に印刷することができる。
【００５８】
さらに、選択領域５ａの「Ｙ−Ｙ’」というアイコンが選択されると、表示選択処理部３３の制御により、図９に示すような横断分布図の出力画面５４がモニタ５に表示される。
【００５９】
出力画面５４にも、下段に一覧表表示領域５４１が生成され、上段にグラフ表示領域５４２が生成される。また、最上段の表示設定欄５４４では、一覧表表示領域５４１に表示させる縦断方向の測点番号（例えば「Ｎｏ．２」）が選択できるようになっている。これらの出力画面５４の制御も、出力処理部３４で行われる。
【００６０】
横断分布図は、横軸を表示設定欄５４４で選択された測点番号の測点名を表す符号（Ａ−Ｉ）とし、縦軸を沈下量とするグラフである。この縦軸の表示レンジは、任意の範囲に設定することができる。
【００６１】
一方、一覧表表示領域５４１には、各測定日時を「行」とし、選択された測点番号の測点名（測定ライン）を「列」とする行列によって、測定値の演算結果である変位（沈下量）が出力値として表示される。
【００６２】
そこで管理者は、測点日時のいくつかのデータ列を、上段のグラフ表示領域５４２にグラフとして表示させるために選択する。ここでグラフ化させるために選択されたデータ列を、選択データ列５４３，・・・とする。
【００６３】
選択データ列５４３の横方向に並ぶ数値が、グラフが延伸するグラフ方向５４１ａとなる。図９では、一覧表表示領域５４１の５つの選択データ列５４３，・・・の変位が、５本の折れ線となってグラフ表示領域５４２にグラフとして表示される。
【００６４】
５本の折れ線の色（凡例）は、対応する選択データ列５４３，・・・の先頭に表示され、容易にグラフと数値を一致させることができる。また、表示結果は、印刷ボタン５４５を押すことで、紙に印刷することができる。
【００６５】
そして、選択領域５ａの「分布」というアイコンが選択されると、表示選択処理部３３の制御により、図１０に示すような沈下分布図（３Ｄ変形図）の出力画面５５がモニタ５に表示される。
【００６６】
出力画面５５にも、下段に一覧表表示領域５５１が生成され、上段にグラフ表示領域５５２が生成される。また、最上段の表示設定欄５５４Ａでは、一覧表表示領域５５１に表示させる測点番号の範囲が選択できるようになっている。また、表示設定欄５５４Ｂでは、一覧表表示領域５５１に表示させる測定日時（時間Ｔｎ）が選択できるようになっている。これらの出力画面５５の制御も、出力処理部３４で行われる。
【００６７】
時間Ｔｎ時の沈下分布図は、表示設定欄５５４Ｂで入力された測定日時における沈下分布を示す面状分布図で、横軸を表示設定欄５５４Ａで指定された測点番号を表す符号（Ｘ１−Ｘ１０）とし、縦軸を横断測点の測点名を表す符号（Ｙ１−Ｙ６）とするグラフである。
【００６８】
この沈下分布図の沈下量の色分けのレンジは、任意の範囲に設定することができる。また、管理基準値を変更する設定ボタン５５６を押して設定画面５５６ａを表示させて、任意に変更することができる。一方、一覧表表示領域５５１には、各測点名を「行」とし測点番号を「列」とする行列によって、測定値の演算結果である変位（沈下量）が出力値として表示される。
【００６９】
そこで管理者は、測点名のいくつかのデータ列を、上段のグラフ表示領域５５２にグラフとして表示させるために選択する。詳細には、データ列の先頭にはチェックボックスが表示されており、チェックされたデータ列が選択データ列５５３，・・・となる。
【００７０】
図１０では、一覧表表示領域５５１で選択された計測ラインの５つの測点名と測点番号とで特定される位置の変位（沈下量）が、面状分布図（コンター図）となってグラフ表示領域５５２にグラフとして表示される。この表示結果は、印刷ボタン５５５を押すことで、紙に印刷することができる。
【００７１】
次に、本実施の形態の計測管理システム１の作用について説明する。
【００７２】
このように構成された本実施の形態の計測管理システム１は、出力手段となるモニタ５の出力画面５２，５３，５４，５５に、それぞれグラフ表示領域５２２，５３２，５４２，５５２と一覧表表示領域５２１，５３１，５４１，５５１とが生成される。
【００７３】
そして、一覧表表示領域５２１，５３１，５４１，５５１に表示された複数のデータ列の中から、選択された選択データ列５２３，５３３，５４３，５５３のグラフが、グラフ表示領域５２２，５３２，５４２，５５２に出力される構成となっている。
【００７４】
すなわち、グラフ化させたい測定値を選択することが可能なうえに、選択データ列５２３，５３３，５４３，５５３と共にグラフを見ることができる。グラフによって変状の大まかな傾向が把握できるうえに、一覧表に示された数値によって瞬時に詳細を確認することができる。
【００７５】
また、グラフの凡例だけではデータの出所や意味が分かりにくい場合もあるが、一覧表にグラフの色や線種などの凡例が表示され、凡例に隣接する選択データ列５２３，５３３，５４３，５５３の数値とグラフを対比しながら見ることで、より正確な判断を迅速に行うことができるようになる。
【００７６】
このように、変状の有無や変化などを判定する管理者が任意に選択した測定値を、分かり易い状態で出力させることができる。このため、着目する測点や表示形式を管理者が自由に変更して、様々な角度から変状を捉えて状況を正確に把握することが可能になる。
【００７７】
特にシールド機が通過する際に地表変状が大きくなる傾向にあるトンネル工事の場合では、着目すべきトンネルＴＮの縦断方向の測点Ｍの位置（測点番号）が、シールド機の掘進状況に応じて日々、変化することになる。そのような場合にも、簡単にグラフ化したい測定値が選択できる構成であれば、確実に変状を管理していくことができるようになる。
【００７８】
また、入力画面５１に縦断方向の測点特定項目（例えば測点番号）と横断方向の測点特定項目（例えば測点名）とによるマトリックスが表示されれば、測量作業者や管理者などの入力者は、平面図と同じイメージで測定値を効率的に入力していくことができる。
【００７９】
さらに、マトリックスの入力画面５１の各入力欄５１ｃに測定値を入力すると、前回の測定値との差が隣接した位置の演算出力欄５１ｄに変動量として表示される構成であれば、変動量が大きすぎれば誤入力ではないかなどと入力すべき測定値を再確認できるので、誤入力に気付きやすくなって正確な入力が行えるようになる。また、変動量の数値を見ただけで、グラフ化する前に変状を把握することができる。
【００８０】
以上、図面を参照して、本発明の実施の形態を詳述してきたが、具体的な構成は、この実施の形態に限らず、本発明の要旨を逸脱しない程度の設計的変更は、本発明に含まれる。
【００８１】
例えば、前記実施の形態では、トンネルＴＮの工事に伴って地表の変状を観測する計測管理システム１を例に説明したが、これに限定されるものではなく、トンネル工事に関係なく地表の変状を監視して管理したい場合などに、本実施の形態の計測管理システム１を適用することができる。
【００８２】
また、前記実施の形態では、測定値の演算結果を出力値として一覧表表示領域５２１，５３１，５４１，５５１に表示する例を説明したが、これは単なる例示であって、測定値をそのまま表示したり、各種演算値を表示したりすることができる。さらに、それらを表示させる単位などは、任意に設定することができる。
【符号の説明】
【００８３】
１              計測管理システム
２              入力操作部（入力手段）
３              演算処理部
４              記憶部（記憶手段）
５              モニタ（出力手段）
５２１，５３１，５４１，５５１  一覧表表示領域
５２２，５３２，５４２，５５２  グラフ表示領域
５２３，５３３，５４３，５５３  選択データ列
Ｍ              測点
【図１】
2018013333.tif 000003
【図２】
2018013333.tif 000004
【図３】
2018013333.tif 000005
【図４】
2018013333.tif 000006
【図５】
2018013333.tif 000007
【図６】
2018013333.tif 000008
【図７】
2018013333.tif 000009
【図８】
2018013333.tif 000010
【図９】
2018013333.tif 000011
【図１０】
2018013333.tif 000012